(57)【特許請求の範囲】
【請求項１】
筆記具の軸筒、キャップまたは尾冠等からなる取付本体に取り付けられるクリップであって、このクリップの挿入用案内手段を取付本体の長手方向に対向して設けられた一対の起立部に設けると共に、クリップの裏側の後端から所定の距離だけ離れた位置にクリップを取付本体の起立部前端の連結部に係止する係止手段を設けてなり、 この係止手段は、クリップ先端に向かって下降する斜面部とこの斜面部の後端に形成された直立壁とからなる係止突起であり、この係止突起とクリップ後端の折曲部とで取付本体の一部を挟持してなることを特徴とする筆記具のクリップ取付装置。
【請求項２】
前記クリップの後部の両側に外方に張出した係合突部を設けると共に、取付本体にはこの係合突部が係合・案内される案内溝が形成された一対の起立部を設けてなる請求項１記載の筆記具のクリップ取付装置。
【請求項３】
前記係合突部の先端に誘導部がそれぞれ設けられてなる請求項２記載の筆記具のクリップ取付装置。
【発明の詳細な説明】
【０００１】
【発明の属する技術分野】
この発明は、筆記具のクリップ取付装置に係り、特にクリップを軸筒、キャップまたは尾冠等の取付本体に取り付けるための筆記具のクリップ取付装置に関する。
【０００２】
【従来の技術】
従来、筆記具を洋服のポケット等に差し込むために筆記具を構成する軸筒、キャップまたは尾冠等からなる取付本体にクリップを一体または別体に取り付けていた。
【０００３】
例えば、合成樹脂性のクリップを筆記具に一体に成形する場合においては、クリップが抜け落ちたり、回転することはないが、クリップが折れたりする恐れがあると共に、丈夫な金属等の別部材を用いることは不可能であった。
【０００４】
他方、クリップを軸筒等と別体に作る例として、図１６および図１７に示すようなクリップの形状が挙げられる。即ち、図１６に示すように合成樹脂製の軸筒７の後端外壁部に金属クリップ８を取り付けるための突状取付部７１を一体に形成し、かつこの取付部７１の後端面から前方に向けて金属クリップ８を差し込むための挿入孔を予め穿設しておき、この挿入孔に金属クリップ８の折曲部８１を圧入・固定していた。更に、図１７に示すようにクリップ９に取付リング９２が一体となったクリップ９を軸筒７に圧入して取り付けたものがあった。
【０００５】
【発明が解決しようとする課題】
しかしながら、これらの従来例のように、クリップを軸筒等と別体に作って、これらの取付本体に取り付ける場合には、取り付けが困難であったり、取り付け後クリップが取付本体から抜け落ちたり、クリップが回転したり、または使用によりクリップ取付部が容易に折損するという問題があった。
【０００６】
そこで、この発明は上記のような従来の筆記具のクリップ取付装置の欠点を解消するものであって、クリップ取付がワンタッチで出来ると共に、取り付け後はクリップが抜け落ちたり回転したりすることなく、かつ長期間の使用によっても取付部が折損することのないことを目的とするものである。
【０００７】
【課題を解決するための手段】
上記目的を達成するために、この発明に係る筆記具のクリップ取付装置は、筆記具の軸筒、キャップまたは尾冠等からなる取付本体に取り付けられるクリップであって、このクリップの挿入用案内手段を取付本体の長手方向に対向して設けられた一対の起立部に設けると共に、クリップの裏側の後端から所定の距離だけ離れた位置にクリップを取付本体の起立部前端の連結部に係止する係止手段を設けてなり、 前記係止手段は、クリップ先端に向かって下降する斜面部とこの斜面部の後端に形成された直立壁とからなる係止突起であって、この係止突起とクリップ後端の折曲部とで取付本体の一部を挟持してなる。
【０００８】
【発明の実施の形態】
以下、添付の図面を用いてこの発明に係る筆記具のクリップ取付装置の実施の形態を詳細に説明する。
図１はこの発明の筆記具のクリップ取付装置の一実施の形態を示す図である。図において、クリップ１は細長いクリップ片１１とこのクリップ片１１の後端の折曲部１２と、クリップ片１１の裏面において折曲部１２から前方に延出した係合突条１３とを備えている。
【０００９】
そして、この係合突条１３の両側の基部には長手方向に係合溝１３ａが夫々形成されており、係合突条１３の先端は後述する取付本体に取り付けの際に挿入し易いように先端が尖った誘導部１３ｂが形成されている。
【００１０】
さらに、係合突条１３から前方に離間したクリップ片１１の裏側には係止手段としての係止突起１４が設けられている。そして、この係止突起１４は、クリップ１の前方に向かって下降する案内用の斜面部１４ａとこの斜面部１４ａの後端に形成された係止用の直立壁１４ｂとから構成されている。
【００１１】
他方、筆記具の軸筒２には、頂部に開口３１を有する取付本体としてのキャップ３が取り外し可能に嵌合されており、この開口３１から前方に向けてキャップ３の外側に相対向して起立したクリップの案内手段としての起立部３２が夫々設けられている。より詳しく述べると、これらの対向した起立部３２は、クリップ１の係合突条１３が挿入できるだけの隙間３３を有しているが前面に上記クリップ１の係止突起１４が係止出来るように連結部３２ａを有している。そして、図６から明らかなように、その間隙３３内には起立部３２から夫々対向して張出した係合案内部３４が張出している。
【００１２】
なお、図中符号３５は、ポケット等に筆記具を差し込む際に、差し込みを確実にするためにクリップ１の先端とキャップ３の外周部とのギャップを狭くしている挟持凸部である。また、キャップ３の開口３１からはノック部材４が突出している。
【００１３】
以下、上記実施の形態による筆記具のクリップ取付装置の組立動作について説明する。
キャップ３の開口３１にクリップ１の係合突条１３の先端の誘導部１３ｂを対向・位置決めして、キャップ３の隙間３３に挿入する。この時クリップ１の両端の係合溝１３ａがキャップ３の起立部３２の係合案内部３４にそれぞれ係合して案内される。そしてこの挿入過程でクリップ１の裏側の係止突起１４の斜面部１４ａが起立部３２の前端の連結部３２ａを乗り越えると直立壁１４ｂがこの連結部３２ａの前面に当接した状態でクリップ１キャップ３に取り付けられる。
【００１４】
即ち、この時丁度クリップ１後端の折曲部１２の前壁がキャップ３の後端に当接されるような位置に係止突起１４を設けておけば、折曲部１２と係止突起１４とでキャップ３の起立部３２の前後を挟持するのでクリップを確実に係止することが出来る。
【００１５】
従って以後クリップを引き抜く方向の力がクリップに加わっても、クリップはキャップから抜け落ちることはなく、図１７の従来例のようにクリップが回転することもない。なお、上記組立動作は詳細に説明したが、実際はワンタッチで容易かつ確実に一瞬の内に組み立て可能である。
【００１６】
次に、図７〜１５図は、この発明の他の実施の形態によるクリップ取付装置を示し、この実施の形態は上記実施の形態の取付体へのクリップの取付手段の凹凸関係を逆にしたものである。
【００１７】
即ち、クリップ５は細長いクリップ片５１とこのクリップ片５１の後端の折曲部５２と、クリップ片５１の裏面において折曲部５２から前方に延出した係合突部５３とを備えており、この係合突部５３の前端において幅方向に係止手段としての係止溝５４が設けられている。なお、この係止溝５４の後端は起立壁部５４ａを有している。
【００１８】
また、クリップ５後端の折曲部５２の外側は弧状に形成されており、その内側は直角部５２ａが設けられている。そして、折曲部５２の直角部５２ａは、軸筒６にクリップ５がセットされる際にストッパ兼位置決め手段として機能する。さらに、図８から明らかなように、クリップ片５１から両側に突出した係合突部５３の前部には先端が尖った誘導部５３ａが形成されている。なお、図中符号５５はポケット等に筆記具を差し込む際に、差し込みを確実にするためにクリップ５の先端と軸筒６の外周部とのギャップを狭くしている挟持凸部である。
【００１９】
これに対して、図１２〜図１４に示すように取付本体としての軸筒６の後端開口から所定距離だけ離間した外壁部には上記クリップ５裏側の係止溝５４に係止する係止突起６１が設けられている。なお、この係止突起６１の後方部はクリップ５の案内突部５３が挿入案内される案内溝６２が長手方向に形成されている。
【００２０】
なお、図に示す通り軸筒６の両側長手方向に延びた案内手段としての起立部６３の肉厚を軸筒６の本体である円筒部の肉厚よりも薄くしておくと外方に撓み易くなるので、クリップ５挿入時にこの起立部６３の長手方向に形成された案内溝６２にクリップ５両側の係合突部５３によって起立部６３が拡開し易い利点がある。
【００２１】
そこで、上記形態によるクリップ５を軸筒６に取り付ける場合には、クリップ５先端を軸筒６の起立部６３間に後方から挿入すると、クリップ５の誘導部５３ａにより係合突部５３は軸筒６の案内溝６２導入される。するとクリップ５は軸筒６の案内溝６２に沿って前進せしめられ、軸筒６の係止溝５４が軸筒６の係止突起６１に到達してこれと嵌合・固定される。
【００２２】
そこで、この時丁度クリップ５の後端折曲部５２の直角部５２ａの後壁が軸筒６の後端に当接されるような位置に係止突起６１を設けておけば、折曲部１２と係止溝５４とで軸筒６の後部分を前後に確実に挟持することが出来るのでクリップは確実に係止することが出来る。
【００２３】
なお、クリップ５の前進過程において、クリップ５の中程から側方に張出した係合突部５３の前端に誘導部５３ａが形成されているので、係合突部５３は軸筒６の案内溝６２にスムーズに誘導・係合されて、図１５に示すようにクリップ５が例えばシャープペンシルの軸筒６に確実に取り付けられる。
【００２４】
【発明の効果】
クリップと取付本体とに設けられた案内手段によりクリップ取付がワンタッチで出来ると共に、取り付け後はクリップと取付本体とに設けられた係止手段によってクリップが抜け落ちたり回転したりすることがなく、かつ長期間の使用によってもクリップが折損することがない効果を奏する。
【図面の簡単な説明】
【図１】この発明の実施の形態による筆記具のクリップ取付装置の分解斜視図である。
【図２】図１のクリップ取付装置の組立斜視図である。
【図３】図１のクリップ取付装置の平面図である。
【図４】図３のＡ−Ａ線に沿った断面図である。
【図５】図１のクリップ取付装置の正面図である。
【図６】図５のＢ−Ｂ線に沿った断面図である。
【図７】この発明の他の実施の形態によるクリップの正面図である。
【図８】図７のクリップの平面図である。
【図９】図７のクリップの底面図である。
【図１０】図７のクリップの側面図である。
【図１１】図７のクリップのＣ−Ｃ線に沿った断面図である。
【図１２】図７の後軸の平面図である。
【図１３】図７の後軸の右側面図である。
【図１４】図１２の後軸の要部拡大断面図である。
【図１５】図７のクリップを取り付けた状態を示す断面図である
【図１６】従来のクリップを軸筒に取り付けた状態を示す正面図である。
【図１７】他の従来例を示す正面図である。
【符号の説明】
１  クリップ
１１  クリップ片
１２  折曲部
１３  係合突条
１３ａ  係合溝
１３ｂ  誘導部
１４  係止突起（係止手段）
１４ａ  斜面部
１４ｂ  直立壁
２  軸筒
３  キャップ（取付本体）
３１  開口
３２  起立部（案内手段）
３２ａ  連結部
３３  隙間
３４  係合案内部
３５  挟持凸部
４  ノック部材
５  クリップ
５１  クリップ片
５２  折曲部
５２ａ  直角部
５３  係合突部
５３ａ  誘導部
５４  係止溝（係止手段）
５４ａ  起立壁部
５５  挟持凸部
６  軸筒（取付本体）
６１  係止突起
６２  案内溝
６３  起立部（案内手段）
【図１】
0003865341.tif 000002
【図２】
0003865341.tif 000003
【図３】
0003865341.tif 000004
【図４】
0003865341.tif 000005
【図５】
0003865341.tif 000006
【図６】
0003865341.tif 000007
【図７】
0003865341.tif 000008
【図８】
0003865341.tif 000009
【図９】
0003865341.tif 000010
【図１０】
0003865341.tif 000011
【図１１】
0003865341.tif 000012
【図１２】
0003865341.tif 000013
【図１３】
0003865341.tif 000014
【図１４】
0003865341.tif 000015
【図１５】
0003865341.tif 000016
【図１６】
0003865341.tif 000017
【図１７】
0003865341.tif 000018